(57)【要約】【課題】照明装置において、光源部を、この光源部を保持するベース部の任意の位置に簡易に取り付けることができ、且つそれらの間の給電を確保できるようにする。【解決手段】照明装置１は、平板形状の光源部２と、光源部２に給電する給電部３２を有するベース部３と、を備える。光源部２は、平板状の発光パネル２１と、モジュールケース２２と、モジュールケース２２の装着面２Ａの両縁部に設けた取付爪（保持部２４）と、給電部３２と電気的に接続される給電端子２５とを有する。ベース部３は、保持部２４と係合するレール部３４を有する。給電部３２は、ベース部３の長手方向に沿うレール形状であり、着脱可能とされている。この構成によれば、光源部２を、レール部３３，３４の長手方向に沿った任意の位置に係合させて容易にベース部３に取り付けることができ、給電部３２がレール形状なので、いずれの位置でも給電を確保することができる。【選択図】図１
2014182896.tif 000002
【特許請求の範囲】
【請求項１】
光源部と、該光源部に給電するための給電部を有するベース部と、を備えた照明装置であって、
前記光源部は、平板状の発光パネルと、前記発光パネルを収容するモジュールケースと、前記ベース部と対向する前記モジュールケースの装着面の両縁部に設けられて前記モジュールケースを前記ベース部に取り付ける取付爪と、前記装着面に直交するように設けられて前記給電部と電気的に接続される給電端子と、を有し、
前記ベース部は、長板状の平面部と、前記平面部の両縁に設けられて前記取付爪と係合する一対のレール部と、を有し、
前記給電部は、前記平面部の長手方向に沿うレール形状であり、前記平面部に対して着脱可能とされていることを特徴とする照明装置。
【請求項２】
前記給電部は、前記給電端子と接続される導電部材と、前記導電部材を保護すると共に前記給電端子が差し込まれる給電部ケースと、を有することを特徴とする請求項１に記載の照明装置。
【請求項３】
前記平面部は、該平面部から前記光源部側に切り起こされて前記給電部ケースを保持する複数の保持切片を有することを特徴とする請求項２に記載の照明装置。
【請求項４】
前記ベース部は、前記導電部材の長手方向の端部を覆うと共に、前記給電部ケースを前記平面部に固定する給電端子台を有することを特徴とする請求項２又は請求項３に記載の照明装置。
【請求項５】
前記給電端子台は、配線挿通孔を有することを特徴とする請求項４に記載の照明装置。
【発明の詳細な説明】
【技術分野】
【０００１】
本発明は、有機ＥＬ素子を光源とする照明装置に関する。
【背景技術】
【０００２】
有機ＥＬ素子は、低電圧で高輝度の発光が可能であり、含有する有機化合物の種類によって様々な発光色が得られ、かつ平板状の発光パネルとしての製造が容易である。そのため、近年、有機ＥＬ素子を照明装置の光源として用いることが注目されている。
【０００３】
この種のものとして、有機ＥＬ素子を光源とする平板形状の光源部と、光源部に給電しかつこの光源部を支持する基板（ベース部）と、を備えた照明器具がある（例えば、特許文献１参照）。この照明器具によれば、ベース部には、光源部と対向する面に給電部が複数設けられているので、ベース部に複数の光源部をマトリックス状に配置することにより、大型の面状発光体を得ることができる。
【０００４】
ところで、有機ＥＬ素子の発光層を含む各有機層は、有機材料等の蒸着等により作製され、発光層の大きさを任意に設定することができる。一般的には、有機ＥＬ素子の製造には、有機材料を蒸発させる坩堝上に順次基板が搬送しながら基板上に有機材料を蒸着するインライン蒸着が用いられる。インライン蒸着は、基板搬送方向に沿う方向へは連続的に蒸着をすることができるので、発光層の幅が一定で、長さの異なる複数種の有機ＥＬ素子を製造することができる。
【先行技術文献】
【特許文献】
【０００５】
【特許文献１】特開２０１２−１０４５０４号公報
【発明の概要】
【発明が解決しようとする課題】
【０００６】
しかしながら、有機ＥＬ素子には所定の発光寿命があり、この有機ＥＬ素子が組み込まれた光源部を所定期間毎に取り替える必要がある。ところが、上記特許文献１に記載の照明器具は、光源部の着脱が想定されていない。光源部の取替えは、ユーザによってなされるので、光源部は、ベース部に対して簡易に且つ任意の位置で着脱できるように構成されていることが望ましい。また、光源部をベース部に取り付ける際には、それらの間の給電を容易に確保でき、しかも、長さの異なる有機ＥＬ素子を組み込んだ複数種の光源部に対応できる必要がある。
【０００７】
本発明は、上記課題を解決するものであって、光源部を、この光源部を保持するベース部の任意の位置に簡易に取り付けることができ、且つそれらの間の給電を確保できる照明装置を提供することを目的とする。
【課題を解決するための手段】
【０００８】
本発明の照明装置は、光源部と、該光源部に給電するための給電部を有するベース部と、を備えた照明装置であって、前記光源部は、平板状の発光パネルと、前記発光パネルを収容するモジュールケースと、前記ベース部と対向する前記モジュールケースの装着面の両縁部に設けられて前記モジュールケースを前記ベース部に取り付ける取付爪と、前記装着面に直交するように設けられて前記給電部と電気的に接続される給電端子と、を有し、前記ベース部は、長板状の平面部と、前記平面部の両縁に設けられて前記取付爪と係合する一対のレール部と、を有し、前記給電部は、前記平面部の長手方向に沿うレール形状であり、前記平面部に対して着脱可能とされていることを特徴とする。
【０００９】
上記照明装置において、前記給電部は、前記給電端子と接続される導電部材と、前記導電部材を保護すると共に前記給電端子が差し込まれる給電部ケースと、を有することが好ましい。
【００１０】
上記照明装置において、前記平面部は、該平面部から前記光源部側に切り起こされて前記給電部ケースを保持する複数の保持切片を有することが好ましい。
【００１１】
上記照明装置において、前記ベース部は、前記導電部材の長手方向の端部を覆うと共に、前記給電部ケースを前記平面部に固定する給電端子台を有することが好ましい。
【００１２】
上記照明装置において、前記給電端子台は、配線挿通孔を有することが好ましい。
【発明の効果】
【００１３】
本発明によれば、光源部の取付爪を、レール部の長手方向に沿った任意の位置に係合させることができ、光源部を容易にベース部に取り付けることができる。また、給電部がレール形状なので、いずれの位置でもベース部から光源部への給電を確保することができる。
【図面の簡単な説明】
【００１４】
【図１】本発明の一実施形態に係る照明装置の分解斜視図。
【図２】（ａ）は図１とは異なる角度から見た分解斜視図、（ｂ）は同照明装置のベース部に給電部を取り付けた構成を示す斜視図。
【図３】（ａ）（ｂ）は、同照明装置を構成する光源部のバリエーションを示す斜視図。
【図４】同照明装置の斜視図。
【図５】同照明装置の回路図。
【図６】同照明装置の給電端子台及び給電部の拡大斜視図。
【図７】同照明装置を構成する光源部及びベース部の部分拡大斜視図。
【図８】同照明装置において、光源部をベース部に取り付ける一手順を示す一部側断面図。
【図９】同照明装置において給電部を用いない構成例を説明するための斜視図。
【発明を実施するための形態】
【００１５】
本発明の第１の実施形態に係る照明装置について、図１乃至図９を参照して説明する。図１に示すように、本実施形態に係る照明装置１は、光源部２と、この光源部２に給電し且つ光源部２を保持するベース部３と、を備える。ベース部３は、長尺形状とされ、一方の面を取付面とし、この取付面を介して、光源部が取り付けられる天井や壁等に固定される。ベース部３は、その長辺の長さが光源部２の縁部の長さよりも長くなるように形成され、複数の光源部２を保持することができる。
【００１６】
光源部２は、平板状の発光パネル２１と、発光パネル２１を収容するモジュールケース２２と、を有する。また、光源部２は、ベース部３と対向するモジュールケース２２の装着面２Ａに形成される一対の取付爪を有する。一方の取付爪（以下、係合部２３）は、モジュールケース２２の一縁部に設けられて、モジュールケース２２をベース部３に係合させる。また、他方の取付爪（以下、保持部２４）は、装着面２Ａにおいて係合部２３と対峙する他縁部に設けられて係合部２３をベース部３に係合させた状態でモジュールケース２２をベース部３に着脱可能に保持する。係合部２３及び保持部２４の少なくとも一方、本例では、保持部２４が、モジュールケース２２に対してスライド可能とされ、且つ対峙する係合部２３と反対方向へ付勢されている。また、光源部２は、装着面２Ａから立設された複数の給電端子２５を有する。これらの給電端子２５（図例では１対）は、係合部２３及び保持部２４を結ぶ直線上に配されている。これらの給電端子２５は、配線基板及びワイヤ等を介して発光パネル２１と電気的に接続されている。
【００１７】
ベース部３は、長板状の平面部３１と、平面部３１の中央にベース部３の長手方向に沿って形成されて光源部２に給電するための給電部３２と、平面部３１の両縁に屈曲形成された一対のレール部３３，３４と、を有する。給電部３２は、上記各給電端子２５と夫々接続される複数の導電部材３２ａと、これらの導電部材３２ａを保護すると共に光源部２の給電端子２５が差し込まれる給電部ケース３２ｂと、を有する。
【００１８】
レール部３３，３４は、長手方向に直交する側面が、平面部３１に対してＬ字状に立設され、更にその先端が内向きに凸なＶ字状となるように屈曲形成されている。そのため、平面部３１に対する立設部が、Ｖ字状部に対して凹んだ形状となり、凹んだ縁部の一方が、光源部２の係合部２３と係合する被係合部として機能し、他方が光源部２の保持部２４と係合する被保持部として機能する。
【００１９】
図２に示すように、ベース部３の平面部３１は、この平面部３１に立設されて給電部ケース３２ｂを保持する複数の保持切片３５を有する。保持切片３５は、平面部３１の板材が、光源部２側へ切り起こされることにより形成されている。具体的には、保持切片３５は、対向する２辺が給電部ケース３２ｂの幅と同じ間隔に形成され、各先端が向かい合う方向に更に屈曲されて、それらの先端の間隔は、給電部ケース３２ｂの幅よりも小さくなっている（後述する図８も参照）。従って、給電部３２をベース部３の長手方向の端部にある保持切片３５に給電部３２を差し込んで、これをスライドさせることで、給電部３２をベース部３の平面部３１に着脱可能に取り付けることができる。
【００２０】
また、ベース部３は、導電部材３２ａの長手方向の端部を覆うと共に、給電部ケース３２ｂを平面部３１に固定する給電端子台３６を有する。給電端子台３６は、給電部３２の端部が嵌めこまれる押え部３６ａと、押え部３６ａの両端に夫々設けられて平面部３１と当接する一対の固定片３６ｂと、各固定片３６ｂから垂直に設けられて平面部３１に固定される突起３６ｃと、を有する。ベース部３の端部には、突起３６ｃが差し込まれる孔３７が形成されている。この給電端子台３６を用いることで、給電部３２がベース部３の長手方向に移動することを抑制でき、給電部３２を安定的に固定することができる。また、給電部３２は、ベース部３の長さに応じて切断されることがあり、給電端子台３６は、そのような切断された端部を保護する機能もある。給電部３２のうち、給電端子部３６が配された端部と反対側の端部は、ベース部３の平面部３１が折り曲げ形成されたエンド切片３８により保持される。
【００２１】
図３（ａ）（ｂ）に示すように、光源部２には、互いに大きさの異なる複数の形状のものが採用され得る。図３（ａ）に示す光源部２は、図３（ｂ）に示す光源部２の発光面の大きさが４倍である。なお、ここで言う発光面とは、実質的に発光パネル２１からの光を出射するモジュールケース２２の開口面２２ａの大きさを指す。最小の大きさの光源部２は正方矩形状であり、長尺形状の光源部２は、その長手方向の長さが、正方形状の光源部２の一片辺の整数倍とされる。また、ベース部３は、これらを保持できるように、その長手方向の長さが、正方形状の光源部２の一片辺の整数倍とされる。光源部２のうちサイズの大きいもの（長いもの）は、発光面あたりの単価が安くすることができる一方、部分破損等による取替えのコストは高くなる。
【００２２】
図４に示すように、ベース部３は、正方矩形状の光源部２ａと、長手方向の長さが光源部２ａの２倍の長さの光源部２ｂ、光源部２ａの４倍の光源部２ｃといった、異なる大きさの複数の光源部２を同時に保持することができる。ここでは、図示したように、光源部２ａ、２ｂ、２ｃ各々の長手方向に沿う辺の長さは、夫々７５ｍｍ、１５０ｍｍ、３００ｍｍとされる。また、光源部２ａ、２ｂ、２ｃの各々は、ベース部３に装着されたときにベース部３の短手方向に沿う辺（以下、短手方向に沿う辺という）の長さがすべて７５ｍｍとされる。また、ベース部３の長手方向の長さは、例えば、光源部２ａ、２ｂ、２ｃの長手方向に沿う辺の長さの合計と等しい５２５ｍｍ（７５ｍｍ＋１５０ｍｍ＋３００ｍｍ）に設定される。これにより、光源部２ａ、２ｂ、２ｃを、ベース部３の長手方向全長に亘って隙間なく配置することができる。一方、ベース部３の短手方向の長さは、光源部２ａ、２ｂ、２ｃの短手方向に沿う辺の長さと等しい７５ｍｍに設定される。なお、複数の光源部２が、隙間を空けて配置されてもよく、ベース部３の任意の位置に配置することができる。また、複数の光源部２を一定の間隔を空けて配置した場合、この空いた間隔に、光源部２と同形状で発光パネル２１を内装しないダミーケース（不図示）を取り付けることもできる。
【００２３】
図５に示すように、照明装置１は、ベース部３の給電部３２を介して光源部２を点灯駆動するための点灯回路に接続されている。点灯回路は、例えば、商用電源ＡＣからの交流電流を直流電流に変換するＡＣ／ＤＣコンバータと、直流電流電圧を所望の電圧に変圧するＤＣ／ＤＣコンバータと、変圧された直流電流の照明装置１への供給を制御するドライバと、を備える。これらＡＣ／ＤＣコンバータ、ＤＣ／ＤＣコンバータ及びドライバは、照明装置１が取り付けられる天井や壁に埋設される。ドライバから供給された直流電流は、給電部３２を介して各光源部２ｃ、２ｂ、２ａに通電される。なお、ＤＣ／ＤＣコンバータ及びドライバは、光源部２側に搭載されてもよい。
【００２４】
光源部２のモジュールケース２２（上述した図１及び図３参照）は、装着面２Ａと反対側が開口した箱形状とされ、その内部空間に発光パネル２１が収容され、発光パネル２１の発光面側を覆うように透光性カバー２６が設けられる。透光性カバー２６は、上記開口面２２ａに嵌り込む形状に形成されている。また、発光パネル２１の非発光面側には配線基板（不図示）が配される。この配線基板は、給電端子２５と接続された配線回路（不図示）と、発光パネル２１の外縁に延設された補助電極と上記配線回路とをワイヤ等を介して接続するためのランド部（不図示）と、を有し、発光パネル２１と共にモジュールケース２２内に収容される。
【００２５】
発光パネル２１は、有機ＥＬ素子を光源として、その発光面側から順に、透光性基板と、発光部と、発光部を封止する封止缶と、を有する（不図示）。発光部は、例えば、透光性基板側から順に、透明導電膜から成る正電極と、発光性有機材料を含む発光層と、光反射性を有する負電極と、を有する。封止缶は、発光部を外気、特に、水分及び酸素から隔離して発光部の劣化を防ぐ。なお、光源部２の光源は、有機ＥＬ素子に限られず、例えば、ＬＥＤ及びこのＬＥＤからの光を導光及び拡散する導光板から成る平面発光体が用いられてもよい。
【００２６】
図６に示すように、給電端子台３６の突起３６ｃは、内部が筒状に形成されていてもよい。給電端子台３６がベース部３に取り付けられているとき、突起３６ｃはベース部２の孔３７（図２参照）からベース部３外へ貫通しているので、突起３６ｃの内部は、配線Ｗを押え部３６ａに挿通させる配線挿通孔３６ｄとして機能する。この配線挿通孔３６ｄにより、給電部３２の導電部材３２ａをベース部３外の配線に接続することができる。なお、導電部材３２ａへの配線の接続構造は、図６に示した形態に限られない。
【００２７】
図７に示すように、保持部２４は、一方のレール部３４に係合する可動爪２４ａと、可動爪２４ａの両側部を一定範囲でスライド可能に支持する一対の支持部２４ｂと、一対の支持部２４ｂを接続し且つ保持部２４をモジュールケース２２に固定する固定部２４ｃと、を有する。固定部２４ｃと可動爪２４ａとの間にはバネ２４ｄが配され、このバネ２４ｄにより可動爪２４ａが係合部２３とは反対方向に付勢される。この構成により、可動爪２４ａは、ベース部３のレール部３４に対して、バネ２４ｄの付勢によってレール部３４に接触し、これに反す方向に向かう力が加えられたときにレール部３４から離間する。本実施形態では、この可動爪２４ａが可動機構となる。可動爪２４ａにおけるレール部３４と係合する端部２４ｅは、先細り形状に形成されている。
【００２８】
光源部２をベース部３に装着させるときは、図８に示すように、まず光源部２の係合部２３側の端部をベース部３の一方のレール部３３に差し込み、係合部２３を回動軸としながら、光源部２の保持部２４側の端部を他方のレール部３４に押し付ける。この押し付け力により、保持部２４の可動爪２４ａがバネ２４ｄの付勢に反する方向にスライドし、可動爪２４ａの先端がレール部３４の凸部を乗り越えると、バネ２４ｄの付勢により可動爪２４ａがレール部３４の凹部に嵌る。また、このとき、光源部２の給電端子２５が、給電部３２の給電部ケース３２ｂに差し込まれ、導電部材３２ａと電気的に接続される。このようにして、光源部２がベース部３に装着される。
【００２９】
この構成によれば、光源部２の係合部２３及び保持部２４を、レール部３３，３４の長手方向に沿った任意の位置に係合させることができ、光源部２を容易にベース部３に取り付けることができる。また、給電部３２がレール形状なので、いずれの位置でもベース部３から光源部２への給電を確保することができる。また、ベース部３は、図４に示したような、光源部２のサイズを問わず、それらを取り付けて給電することができる。更に、給電部３２の導電部材３２ａは給電部ケース３２ｂによって保護されるので、例えば、光源部２が無理やり外されたケースであっても、給電端子２５によって導電部材３２ａが傷つけられることがなく、断線を抑制することができる。
【００３０】
また、給電部３２は、着脱可能なので、ベース部３に対する光源部２の位置が予め決まっている場合には、上述した給電部３２を用いずに、給電端子２５に対応したコネクタ３８を用いることができる。この場合、所定位置の保持切片３５にコネクタ３９を取り付け、コネクタ３９に外部からの配線Ｗを接続させればよい。例えば、光源部２のサイズが大きく、一つのベース部３に取り付けられる光源部２の数が少ない場合に、上記給電部３２に換えてコネクタ３８が好適に用いられる。なお、保持切片３５が、平面部３１の長手方向に等間隔に配置されることにより、この保持切片３５がコネクタ３９及び光源部２を配置するときの位置決めに用いられる。また、コネクタ３９が取り付けられていない保持切片３５には、配線Ｗを引っ掛けることができる。
【００３１】
なお、本発明に係る照明装置は、上記実施形態に限定されず、種々の変形が可能である。例えば、上記実施形態では、給電端子台３６を取り付けるためのベース部３の孔３７が、ベース部３の端部に形成された構成を示したが、孔２７がベース部３の長手方向に沿って一定間隔で複数個所に形成されていてもよい。こうすれば、ベース部３に対して給電部３２が短い場合にも、その端部を給電端子台３６で固定することができる。
【符号の説明】
【００３２】
１    照明装置
２    光源部
２Ａ    装着面
２１    発光パネル
２２    モジュールケース
２３    係合部（取付爪）
２４    保持部（取付爪）
２５    給電端子
３    ベース部
３２    給電部
３３    レール部
３４    レール部
３５    保持切片
３６    給電端子台
【図１】
2014182896.tif 000003
【図２】
2014182896.tif 000004
【図３】
2014182896.tif 000005
【図４】
2014182896.tif 000006
【図５】
2014182896.tif 000007
【図６】
2014182896.tif 000008
【図７】
2014182896.tif 000009
【図８】
2014182896.tif 000010
【図９】
2014182896.tif 000011